(57)【要約】【課題】トップオープン型ポケットの写真アルバム又はカード・書類・ディスク入れ、若しくは本、手帳、システム手帳等のカバーとして使用することができる軟質合成樹脂製ブックカバーを提供する【解決手段】軟質の合成樹脂材料のカバーシート（１）の左右内側と、その各々に重ねられた、カバーシートと同じ材料の内シート（３、３）とで、上下縁及び外側縁の三方が閉じられ、内方部位に差込み口（５）を有するホルダー（４）を形成し、ホルダーの一方の内シートに、ホルダーの上縁から切り込み（６）によって舌状保持片（７）を形成してなる。【選択図】      図１
2005001112.tif 000002
【特許請求の範囲】
【請求項１】
軟質の合成樹脂材料のカバーシートの左右内側と、その各々に重ねられた、カバーシートと同じ材料の内シートとで、上下縁及び外側縁の三方が閉じられ、内方部位に差込み口を有するホルダーを形成し、ホルダーの一方の内シートに、ホルダーの上縁から切り込みによって舌状保持片を形成してなる、ブックカバー。
【請求項２】
写真アルバムやカード・書類・ディスク入れ等の表紙の左右一体の表紙部分をブックカバーのホルダーの差込み口に差し込むことによって写真アルバム又はカード・書類・ディスク入れをブックカバーで外側からカバーし、ホルダーを構成する内シートの舌状保持片を起こして片側に寄せた最上のポケットの上に位置するように折りまげ、折りまげられた舌状保持片が写真アルバム又はカード・書類・ディスク入れの表紙を閉じることによって表紙部分で上から押さえられ、それによりポケット内の写真、カード、書類、又はディスクを舌状保持片で包持するようにした、ブックカバー。
【請求項３】
本、手帳、システム手帳等の表紙は写真アルバム、カード・書類・ディスク入れの場合と同じ仕方でブックカバーに装着され、ホルダーを構成する内シートの舌状保持片を本、手帳、又はシステム手帳の頁に挟み込んでしおりとして使用する、ブックカバー。
【発明の詳細な説明】
【０００１】
【発明の属する分野】
本発明はブックカバーに関し、特に、トップオープン型ポケットを有する写真アルバムやカード・書類・ディスク入れ、又は本、手帳、システム手帳等のカバーとして使用されるようになった軟質合成樹脂製ブックカバーに関する。
【０００２】
【従来の技術】
例えば、この種の写真アルバムはバッグ等に入れて持ち運ぶのに便利な大きさのものであって、表紙がポリプロピレンのような半硬質の合成樹脂材料で形成され、そして背に相当する、左右一体の表紙部分の間のウエブ部分に、左右に一対のトップオープン型ポケットを有する透明なフィルムが複数枚重ねて溶着により固着されてなるものである。各ポケットには、ポケットの両側から写真を見せるために、２枚一組で裏合わせにしてトップオープン（上差し込み口）から差し込まれる。カード・書類・ディスク入れの場合も形態が写真アルバムと実質的に同じであり、カード、書類又はディスクがポケットに入れて保持される。
【０００３】
【発明が解決しようとする課題】
このような写真アルバム又はカード・書類・ディスク入れは、透明なフィルムのポケットのトップオープンを上にしている限り、写真、カード、書類、又はディスクがポケットから脱落することはない。しかしながら、写真アルバム又はカード・書類・ディスク入れの上下の位置を間違えて逆さにした場合には、写真、カード、書類、又はディスクはその重みでポケットから抜け落ちることがある。
そのような写真、カード、書類、又はディスクのポケットからの脱落を防止することができないものかとの課題が提起された。
【０００４】
本発明の目的は、そのような技術的課題を念頭において開発された、トップオープン型ポケットの写真アルバム、カード・書類・ディスク入れ等に使用されるようになった軟質合成樹脂製ブックカバーを提供することにある。
本発明はまた本、手帳、システム手帳等のカバーとしても使用することができる軟質合成樹脂製ブックカバーを提供することにある。
【０００５】
【課題を解決するための手段】
本発明によれば、軟質の合成樹脂材料のカバーシートの左右内側と、その各々に重ねられた、カバーシートと同じ材料の内シートとで、上下縁及び外側縁の三方が閉じられ、内方部位に差込み口を有するホルダーを形成し、ホルダーの一方の内シートに、ホルダーの上縁から切り込みによって舌状保持片を形成してなる、ブックカバーを提供する。
【０００６】
【作用】
本発明によるブックカバーを写真アルバムに使用する場合には、先ず、写真アルバムの表紙の左右一体の表紙部分をホルダーの差込み口に差し込むことによって写真アルバムはブックカバーでカバーされることになる。次いで、舌状保持片を起こして写真アルバムのボケットを舌状保持片のある側に寄せて、舌状保持片をポケットのトップオープンの上に渡して寄せた最上のポケットの上に位置するように折りまげる。かくして折りまげられた舌状保持片は写真アルバムの表紙を閉じることによって表紙部分で上から押さえられて適所に保持され、これによりポケット内の写真が舌状保持片で包持されることになる。
【０００７】
カード・書類・ディスク入れの場合にも、本発明によるブックカバーを写真アルバムの場合と同様に使用することができ、舌状保持片はポケット内にカード、書類又はディスクを保持するように位置決めされる。
【０００８】
本、手帳又はシステム手帳のカバーとして使用される時には、本、手帳又はシステム手帳の表紙は写真アルバムの場合と同じ仕方でブックカバーに装着され、舌状保持片は本、手帳又はシステム手帳の頁に挟み込むことによってしおりとして役立つ。
【０００９】
【発明の実施形態】
図１は本発明によるブックカバー１の斜視図であって、このブックカバー１は軟質の合成樹脂材料のカバーシート２を含み、その左右内側と、その各々に重ねられた、カバーシートと同じ材料の内シート３、３とで、上下縁及び外側縁の三方が閉じられ、内方部位に差込み口４、４を有するホルダー５、５が形成されている。軟質の合成樹脂材料は、例えば、エチレンビニールアセテートをポリプロピレンでサンドイッチ状に積層したもので、材料には大変柔軟性がある。一般的には透明な材料として形成されるが、用途によってはむしろ不透明に着色印刷されることもある。ホルダー５、５の一方の内シート３、例えば、図１に示すように右側の内シートに、ホルダー５の上縁から切り込み６によって舌状保持片７が形成されている。ブックカバーには一方の外側縁中央から保持ベルト８が延び、ブックカバーには、保持ベルトと反対側でこれに対応して形成された差し込みスリット９が設けられている。
【００１０】
図２から分かるように、写真アルバム１０は先に述べたように、ポリプロピレンのような半硬質の合成樹脂材料で形成され、左右一体の表紙部分１１、１１を有する表紙１２を含み、それらの間の、表紙の背に相当するウエブ部分１３には、左右に一対のトップオープン型ポケット１４を有する透明なフィルムが複数枚重ねて超音波溶接１５により固着されている。各ポケット１４には、ポケットの両側から写真１６を見せるために、２枚一組で裏合わせにしてトップオープン（上差し込み口）１７から差し込まれる。
【００１１】
写真アルバム１０の表紙１２の左右一体の表紙部分１１、１１を、例えば、後ろに折り返してブックカバー１の左右一対のホルダー５、５の差込み口４、４に差し込み易い態勢にし、その上で表紙部分の両外側端を、ホルダーの差込み口に差し込みながら表紙をもとの位置に戻す。かくして左右の表紙部分はホルダーの中に完全に収まり、写真アルバムはブックカバーで外側からカバーされることになる。図２は、舌状保持片７がホルダー５を構成する内シート３から起こされ、写真アルバム１０のボケット１４が舌状保持片７のある側に寄せられている様子を示している。舌状保持片７はポケット１４のトップオープン１７の上に渡して寄せた最上のポケットの上に折りまげられる。かくしてブックカバー１を閉じると、図３に示すように、折りまげられた舌状保持片７は写真アルバム１０の表紙部分１１で上から押さえられて適所に保持され、これによりポケット内の写真が舌状保持片７で包持されることになる。保持ベルト８をスリット９に差し込めば写真アルバムを閉じた状態に保持することができ、併せて舌状保持片の写真アルバムの表紙による保持がより一層確実になる。
【００１２】
本発明によるブックカバーは、写真アルバム以外にカード・書類・ディスク入れにも使用することができる。カード・書類・ディスク入れは、写真アルバムと実質的に同じ形態に構成され、そして写真アルバムと同じ仕方でブックカバーに装着される。カード・書類・ディスク入れのホルダーにはカード、書類、又はディスクが入れられることも写真の場合と同じである。
【００１３】
図４は本ブックカバー１を本１８のカバーとして使用している実施形態を概略的に示す。この図から分かるように、本１８の表紙は写真アルバムの場合と同じ仕方でブックカバー１に装着され、舌状保持片７は本１８の頁１９に上から挟み込まれ、かくして本のしおりとして役立つ。
【００１４】
本以外にも手帳やシステム手帳にも本発明によるブックカバーをしようすることができることは明らかであろう。
本発明によれば、柔軟性に富んだ舌状保持片がブックカバーの上縁から延びて形成されているため、写真アルバムやカード・書類・ディスク入れのカバーとして使用するときには、舌状保持片を、写真アルバム又はカード・書類・ディスク入れを逆さにしたときでもポケットに納められた写真、カード、書類、又はディスクのトップオープンからの脱落を防止する手段として使用することができ、また本、手帳又はシステム手帳のカバーとして使用するときには、本、手帳又はシステム手帳の頁のしおりとして使用することができ大変便利である。
【図面の簡単な説明】
【図１】本発明によるブックカバー１の斜視図である。
【図２】本発明によるブックカバーをトップオープン型ポケットを有する写真アルバムに使用している様子を示す斜視図である。
【図３】本発明によるブックカバーを使用して写真アルバムを閉じている状態を示す斜視図である。
【図４】本発明によるブックカバーを本のカバーとして使用している様子を示す断片的な正面図である。
【符号の説明】
１  ブックカバー
２  カバーシート
３  内シート
４  差込み口
５  ホルダー
６  切り込み
７  舌状保持片
８  保持ベルト
９  差し込みスリット
１０  写真アルバム
１１  表紙部分
１２  表紙
１３  ウエブ部分
１４  トップオープン型ポケット
１５  超音波溶接
１６  写真
１７  トップオープン
１８  本
１９  頁
【図１】
2005001112.tif 000003
【図２】
2005001112.tif 000004
【図３】
2005001112.tif 000005
【図４】
2005001112.tif 000006